(57)【要約】【課題】端末装置を所持するユーザの状態を適切に管理するとともに、消費電力を低減して通信可能な状態を長時間確保することができるようにする。【解決手段】端末装置が、自装置を所持するユーザに関するユーザ属性情報を取得し、このユーザ属性情報に基づいて通知タイミングを設定し、設定された通知タイミングで、ユーザの状態情報（位置情報および生体情報）を収集して、収集した状態情報を含む状態通知をサーバに送信する。特に、ユーザ属性情報により、自装置のユーザがグループ行動である場合には、単独行動である場合より、通知タイミングの周期を長く設定する。また、ユーザ属性情報により、自装置のユーザが見守りが必要でない場合には、見守りが必要である場合より、通知タイミングの周期を長く設定する。【選択図】図１５
2018206112.tif 000002
【特許請求の範囲】
【請求項１】
ユーザが所持して、ユーザの状態情報を管理装置に送信する端末装置であって、
前記管理装置と通信を行う通信部と、
自装置の位置を測定する測位部と、
ユーザの身体の状態を検出する生体状態検出部と、
自装置のユーザに関するユーザ属性情報に基づいて設定された通知タイミングで、前記状態情報として、前記測位部による位置情報、および前記生体状態検出部による生体情報の少なくともいずれかを含む状態通知を、前記通信部から前記管理装置に送信する制御部と、
を備えることを特徴とする端末装置。
【請求項２】
前記制御部は、
前記ユーザ属性情報により、自装置のユーザがグループ行動である場合には、単独行動である場合より、前記通知タイミングの周期を長く設定することを特徴とする請求項１に記載の端末装置。
【請求項３】
前記制御部は、
前記ユーザ属性情報により、自装置のユーザが見守りが必要でない場合には、見守りが必要である場合より、前記通知タイミングの周期を長く設定することを特徴とする請求項１に記載の端末装置。
【請求項４】
前記制御部は、
前記ユーザ属性情報に含まれる年齢、疾病および障害の少なくともいずれかに関する情報に基づいて、自装置のユーザが見守りが必要か否かを判定することを特徴とする請求項３に記載の端末装置。
【請求項５】
前記制御部は、
前記位置情報を含む前記状態通知を送信する前記通知タイミングと、前記生体情報を含む前記状態通知を送信する前記通知タイミングとを、前記ユーザ属性情報に応じて異なる周期に設定することを特徴とする請求項１に記載の端末装置。
【請求項６】
他の端末装置と近距離通信を行う第２の通信部を備え、
前記制御部は、
他の端末装置を選択して、その端末装置に、自装置の前記状態情報を前記管理装置に送信するように、自装置の前記状態情報を含む代理送信依頼を、前記第２の通信部から送信することを特徴とする請求項１に記載の端末装置。
【請求項７】
前記制御部は、
自装置の電池の残量が所定値以下となると、前記代理送信依頼を送信することを特徴とする請求項６に記載の端末装置。
【請求項８】
前記制御部は、
他の端末装置から送信される代理送信依頼を前記第２の通信部で受信すると、前記代理送信依頼に付加された他の端末装置の前記状態情報と自装置の前記状態情報とを含む状態通知を、前記通信部から前記管理装置に送信することを特徴とする請求項６に記載の端末装置。
【請求項９】
他の端末装置と近距離通信を行う第２の通信部を備え、
前記制御部は、
自装置がリーダー端末である場合に、前記第２の通信部から前記他の端末装置の前記状態情報を受信し、自装置または前記他の端末装置のいずれかの前記ユーザ属性情報に基づいて設定された通知タイミングで、自装置および前記他の端末装置の前記状態情報を含む状態通知を、前記通信部から前記管理装置に送信することを特徴とする請求項１に記載の端末装置。
【請求項１０】
前記制御部は、
自装置がメンバー端末である場合に、自装置の前記状態情報を含む状態通知を、前記第２の通信部から前記リーダー端末に送信することを特徴とする請求項９に記載の端末装置。
【請求項１１】
前記制御部は、
自分のグループのリーダー端末を発見できない場合には、別のグループのリーダー端末を選択して、選択したリーダー端末に、自装置の前記状態情報を含む状態通知を、前記第２の通信部から送信することを特徴とする請求項１０に記載の端末装置。
【請求項１２】
前記制御部は、
別のグループのリーダー端末を発見できない場合には、自装置の前記状態情報を含む状態通知を、前記通信部から前記管理装置に送信することを特徴とする請求項１１に記載の端末装置。
【請求項１３】
ユーザが所持する端末装置からユーザの状態情報を管理装置に通知して管理する管理システムであって、
前記端末装置は、
前記管理装置と通信を行う通信部と、
自装置の位置を測定する測位部と、
ユーザの身体の状態を検出する生体状態検出部と、
自装置のユーザに関するユーザ属性情報に基づいて設定された通知タイミングで、前記状態情報として、前記測位部による位置情報、および前記生体状態検出部による生体情報の少なくともいずれかを含む状態通知を、前記通信部から前記管理装置に送信する制御部と、
を備え、
前記管理装置は、
前記端末装置から前記状態通知を受信する通信部と、
この通信部で受信した前記状態通知に含まれる前記状態情報を記憶部に蓄積して管理する制御部と、
を備えることを特徴とする管理システム。
【請求項１４】
前記端末装置は、
他の端末装置と近距離通信を行う第２の通信部を備え、
前記端末装置の前記制御部は、
前記第２の通信部から前記他の端末装置の前記状態情報を受信し、自装置または前記他の端末装置のいずれかの前記ユーザ属性情報に基づいて設定された通知タイミングで、自装置および前記他の端末装置の前記状態情報を含む状態通知を、前記通信部から前記管理装置に送信することを特徴とする請求項１３に記載の管理システム。
【請求項１５】
前記管理装置の前記制御部は、
前記端末装置を代表端末に選択して、その代表端末となる前記端末装置に、別のグループの端末装置の前記状態情報を含む状態通知を送信するように指示する代表決定通知を前記通信部から送信することを特徴とする請求項１３または請求項１４に記載の管理システム。
【請求項１６】
ユーザが所持する端末装置からユーザの状態情報を管理装置に通知する情報通知方法であって、
前記端末装置が、
自装置のユーザに関するユーザ属性情報に基づいて設定された通知タイミングで、前記状態情報として、自装置の位置を測定する測位部による位置情報、およびユーザの身体の状態を検出する生体状態検出部による生体情報の少なくともいずれかを含む状態通知を前記管理装置に送信することを特徴とする情報通知方法。
【請求項１７】
前記端末装置が、
近距離通信により他の端末装置から、前記他の端末装置の前記状態情報を受信し、自装置または前記他の端末装置のいずれかの前記ユーザ属性情報に基づいて設定された通知タイミングで、自装置および前記他の端末装置の前記状態情報を含む状態通知を、前記管理装置に送信することを特徴とする請求項１６に記載の情報通知方法。
【発明の詳細な説明】
【技術分野】
【０００１】
本発明は、ユーザが所持してユーザの状態情報を管理装置に送信する端末装置、ユーザが所持する端末装置からユーザの状態情報を管理装置に通知して管理する管理システム、およびユーザが所持する端末装置からユーザの状態情報を管理装置に通知する情報通知方法に関するものである。
【背景技術】
【０００２】
近年の登山ブームにより、高齢、持病および障害などのハンディキャップを抱えている人も登山を楽しむようになってきた。しかしながら、ハンディキャップを抱えている登山者は事故に遭遇する危険性が高いため、事故を未然に防ぐ対策が望まれる。このような登山者の事故を防ぐには、登山者の異常を検知するための情報を収集する端末を登山者に所持させて、収集した情報や異常検知結果を監視者に通知するようにするとよい。
【０００３】
このような人物の異常に関する情報を通知する技術として、従来、対象となる人物の生体情報を取得して、その生体情報に基づいて人物の異常を検知すると、人物に異常が発生していることを表す通知を所定の宛先に送信する技術が知られている（特許文献１，２参照）。また、グループのメンバーが所持するメンバー端末で、メンバーの異常を検知すると、メンバーに異常が発生していることを表す通知を、グループのリーダーが所持するリーダー端末に送信する技術が知られている（特許文献３参照）。
【先行技術文献】
【特許文献】
【０００４】
【特許文献１】特開２００８−２９５９０号公報
【特許文献２】特開２０１６−１５１８０６号公報
【特許文献３】特許５９２４１１１号公報
【発明の概要】
【発明が解決しようとする課題】
【０００５】
さて、登山者の異常を検知するための情報を収集する端末を登山者に所持させる場合、端末の消費電力を低減して、通信可能な状態が長時間確保されるようにすることが望まれる。このような要望に関して、前記従来の技術では、送信の要否に応じた電力供給の制御や、送信情報量の削減により、消費電力を低減する提案があるが、消費電力低減の要望を十分満足することができないという問題があった。
【０００６】
そこで、本発明は、端末装置を所持するユーザの状態を適切に管理するとともに、消費電力を低減して通信可能な状態を長時間確保することができる端末装置、管理システム、および情報通知方法を提供することを主な目的とする。
【課題を解決するための手段】
【０００７】
本発明の端末装置は、ユーザが所持して、ユーザの状態情報を管理装置に送信する端末装置であって、前記管理装置と通信を行う通信部と、自装置の位置を測定する測位部と、ユーザの身体の状態を検出する生体状態検出部と、自装置のユーザに関するユーザ属性情報に基づいて設定された通知タイミングで、前記状態情報として、前記測位部による位置情報、および前記生体状態検出部による生体情報の少なくともいずれかを含む状態通知を、前記通信部から前記管理装置に送信する制御部と、を備える構成とする。
【０００８】
また、本発明の管理システムは、ユーザが所持する端末装置からユーザの状態情報を管理装置に通知して管理する管理システムであって、前記端末装置は、前記管理装置と通信を行う通信部と、自装置の位置を測定する測位部と、ユーザの身体の状態を検出する生体状態検出部と、自装置のユーザに関するユーザ属性情報に基づいて設定された通知タイミングで、前記状態情報として、前記測位部による位置情報、および前記生体状態検出部による生体情報の少なくともいずれかを含む状態通知を、前記通信部から前記管理装置に送信する制御部と、を備え、前記管理装置は、前記端末装置から前記状態通知を受信する通信部と、この通信部で受信した前記状態通知に含まれる前記状態情報を記憶部に蓄積して管理する制御部と、を備える構成とする。
【０００９】
また、本発明の情報通知方法は、ユーザが所持する端末装置からユーザの状態情報を管理装置に通知する情報通知方法であって、前記端末装置が、自装置のユーザに関するユーザ属性情報に基づいて設定された通知タイミングで、前記状態情報として、自装置の位置を測定する測位部による位置情報、およびユーザの身体の状態を検出する生体状態検出部による生体情報の少なくともいずれかを含む状態通知を前記管理装置に送信する構成とする。
【発明の効果】
【００１０】
本発明によれば、ユーザ属性に応じた適切なタイミングで状態通知を管理装置に送信することができる。これにより、端末装置を所持するユーザの状態を適切に管理するとともに、消費電力を低減して通信可能な状態を長時間確保することができる。
【図面の簡単な説明】
【００１１】
【図１】第１実施形態に係る登山者管理システムの全体構成図
【図２】本システムにおいて収集管理される登山者の情報を示す説明図
【図３】通常時における親端末１および子端末２からの状態通知の送信状況を示す説明図
【図４】親端末１において通知タイミングを設定する要領を示す説明図
【図５】子端末２において通知タイミングを設定する要領を示す説明図
【図６】子端末２において自分のグループの親端末１を発見できない場合における子端末２および別のグループの親端末１からの状態通知の送信状況を示す説明図
【図７】子端末２において自分のグループの親端末１および別のグループの親端末１を発見できない場合における子端末２からの状態通知の送信状況を示す説明図
【図８】代理送信時における状態通知の送信状況を示す説明図
【図９】親端末１において依頼順位を決定する要領を示す説明図
【図１０】代理送信時における親端末１およびサーバ３の動作手順を示すシーケンス図
【図１１】サーバ３に蓄積されるユーザ管理情報の一例を示す説明図
【図１２】親端末１の概略構成を示すブロック図
【図１３】子端末２の概略構成を示すブロック図
【図１４】サーバ３の概略構成を示すブロック図
【図１５】親端末１の動作手順を示すフロー図
【図１６】親端末１の動作手順を示すフロー図
【図１７】子端末２の動作手順を示すフロー図
【図１８】サーバ３の動作手順を示すフロー図
【図１９】サーバ３の代表端末決定時の動作手順を示すフロー図
【図２０】サーバ３の表示部７４に表示される監視画面としての経路表示画面および位置表示画面の一例を示す説明図
【図２１】サーバ３の表示部７４に表示される監視画面としてのユーザ一覧画面の一例を示す説明
【図２２】第２実施形態に係る登山者管理システムの動作手順を示すフロー図
【発明を実施するための形態】
【００１２】
前記課題を解決するためになされた第１の発明は、ユーザが所持して、ユーザの状態情報を管理装置に送信する端末装置であって、前記管理装置と通信を行う通信部と、自装置の位置を測定する測位部と、ユーザの身体の状態を検出する生体状態検出部と、自装置のユーザに関するユーザ属性情報に基づいて設定された通知タイミングで、前記状態情報として、前記測位部による位置情報、および前記生体状態検出部による生体情報の少なくともいずれかを含む状態通知を、前記通信部から前記管理装置に送信する制御部と、を備える構成とする。
【００１３】
これによると、ユーザ属性に応じた適切なタイミングで状態通知を管理装置に送信することができる。これにより、端末装置を所持するユーザの状態を適切に管理するとともに、消費電力を低減して通信可能な状態を長時間確保することができる。
【００１４】
また、第２の発明は、前記制御部は、前記ユーザ属性情報により、自装置のユーザがグループ行動である場合には、単独行動である場合より、前記通知タイミングの周期を長く設定する構成とする。
【００１５】
これによると、グループ行動である場合には、単独行動である場合よりリスクが低いため、通知タイミングの周期を長く設定して、送信回数を削減することで、電力消費を低減することができる。
【００１６】
また、第３の発明は、前記制御部は、前記ユーザ属性情報により、自装置のユーザが見守りが必要でない場合には、見守りが必要である場合より、前記通知タイミングの周期を長く設定する構成とする。
【００１７】
これによると、見守りが必要でない場合には、見守りが必要である場合よりリスクが低いため、通知タイミングの周期を長く設定して、送信回数を削減することで、電力消費を低減することができる。
【００１８】
また、第４の発明は、前記制御部は、前記ユーザ属性情報に含まれる年齢、疾病および障害の少なくともいずれかに関する情報に基づいて、自装置のユーザが見守りが必要か否かを判定する構成とする。
【００１９】
これによると、見守りが必要か否かを的確に判定することができる。
【００２０】
また、第５の発明は、前記制御部は、前記位置情報を含む前記状態通知を送信する前記通知タイミングと、前記生体情報を含む前記状態通知を送信する前記通知タイミングとを、前記ユーザ属性情報に応じて異なる周期に設定する構成とする。
【００２１】
これによると、ユーザ属性に応じて位置情報および生体情報を効率的に管理装置に送信することができる。
【００２２】
また、第６の発明は、他の端末装置と近距離通信を行う第２の通信部を備え、前記制御部は、他の端末装置を選択して、その端末装置に、自装置の前記状態情報を前記管理装置に送信するように、自装置の前記状態情報を含む代理送信依頼を、前記第２の通信部から送信する構成とする。
【００２３】
これによると、自装置が状態通知を管理装置に直接送信できない場合でも、自装置の情報を管理装置に確実に送信することができる。
【００２４】
また、第７の発明は、前記制御部は、自装置の電池の残量が所定値以下となると、前記代理送信依頼を送信する構成とする。
【００２５】
これによると、電力消費が大きい送信処理を他の端末装置に肩代わりさせることで、自装置の電力消費を低減することができる。
【００２６】
また、第８の発明は、前記制御部は、他の端末装置から送信される代理送信依頼を前記第２の通信部で受信すると、前記代理送信依頼に付加された他の端末装置の前記状態情報と自装置の前記状態情報とを含む状態通知を、前記通信部から前記管理装置に送信する構成とする。
【００２７】
これによると、他の端末装置が状態通知を管理装置に直接送信できない場合でも、他の端末装置の情報を管理装置に確実に送信することができる。
【００２８】
また、第９の発明は、他の端末装置と近距離通信を行う第２の通信部を備え、前記制御部は、自装置がリーダー端末である場合に、前記第２の通信部から前記他の端末装置の前記状態情報を受信し、自装置または前記他の端末装置のいずれかの前記ユーザ属性情報に基づいて設定された通知タイミングで、自装置および前記他の端末装置の前記状態情報を含む状態通知を、前記通信部から前記管理装置に送信する構成とする。
【００２９】
これによると、他の端末装置（メンバー端末）の情報を自装置の情報とともに管理装置に送信することができる。また、自装置や他の端末装置のユーザ属性に応じた適切なタイミングで状態通知を管理装置に送信することができる。
【００３０】
また、第１０の発明は、前記制御部は、自装置がメンバー端末である場合に、自装置の前記状態情報を含む状態通知を、前記第２の通信部から前記リーダー端末に送信する構成とする。
【００３１】
これによると、自装置の情報を自装置に代わってリーダー端末から管理装置に送信することができる。
【００３２】
また、第１１の発明は、前記制御部は、自分のグループのリーダー端末を発見できない場合には、別のグループのリーダー端末を選択して、選択したリーダー端末に、自装置の前記状態情報を含む状態通知を、前記第２の通信部から送信する構成とする。
【００３３】
これによると、自分のグループのリーダー端末を発見できない場合でも、自装置の情報を確実に管理装置に送信することができる。
【００３４】
また、第１２の発明は、前記制御部は、別のグループのリーダー端末を発見できない場合には、自装置の前記状態情報を含む状態通知を、前記通信部から前記管理装置に送信する構成とする。
【００３５】
これによると、自分のグループのリーダー端末および別のグループのリーダー端末を発見できない場合でも、自装置の情報を確実に管理装置に送信することができる。
【００３６】
また、第１３の発明は、ユーザが所持する端末装置からユーザの状態情報を管理装置に通知して管理する管理システムであって、前記端末装置は、前記管理装置と通信を行う通信部と、自装置の位置を測定する測位部と、ユーザの身体の状態を検出する生体状態検出部と、自装置のユーザに関するユーザ属性情報に基づいて設定された通知タイミングで、前記状態情報として、前記測位部による位置情報、および前記生体状態検出部による生体情報の少なくともいずれかを含む状態通知を、前記通信部から前記管理装置に送信する制御部と、を備え、前記管理装置は、前記端末装置から前記状態通知を受信する通信部と、この通信部で受信した前記状態通知に含まれる前記状態情報を記憶部に蓄積して管理する制御部と、を備える構成とする。
【００３７】
これによると、第１の発明と同様に、端末装置を所持するユーザの状態を適切に管理するとともに、消費電力を低減して通信可能な状態を長時間確保することができる。
【００３８】
また、第１４の発明は、前記端末装置は、他の端末装置と近距離通信を行う第２の通信部を備え、前記端末装置の前記制御部は、前記第２の通信部から前記他の端末装置の前記状態情報を受信し、自装置または前記他の端末装置のいずれかの前記ユーザ属性情報に基づいて設定された通知タイミングで、自装置および前記他の端末装置の前記状態情報を含む状態通知を、前記通信部から前記管理装置に送信する構成とする。
【００３９】
これによると、他の端末装置の情報を自装置の情報とともに管理装置に送信することができる。また、自装置や他の端末装置のユーザ属性に応じた適切なタイミングで状態通知を管理装置に送信することができる。
【００４０】
また、第１５の発明は、前記管理装置の前記制御部は、前記端末装置を代表端末に選択して、その代表端末となる前記端末装置に、別のグループの端末装置の前記状態情報を含む状態通知を送信するように指示する代表決定通知を前記通信部から送信する構成とする。
【００４１】
これによると、端末装置が状態通知を管理装置に送信することができない場合でも、その端末装置の情報を管理装置に確実に送信することができる。
【００４２】
また、第１６の発明は、ユーザが所持する端末装置からユーザの状態情報を管理装置に通知する情報通知方法であって、前記端末装置が、自装置のユーザに関するユーザ属性情報に基づいて設定された通知タイミングで、前記状態情報として、自装置の位置を測定する測位部による位置情報、およびユーザの身体の状態を検出する生体状態検出部による生体情報の少なくともいずれかを含む状態通知を前記管理装置に送信する構成とする。
【００４３】
これによると、第１の発明と同様に、端末装置を所持するユーザの状態を適切に管理するとともに、消費電力を低減して通信可能な状態を長時間確保することができる。
【００４４】
また、第１７の発明は、前記端末装置が、近距離通信により他の端末装置から、前記他の端末装置の前記状態情報を受信し、自装置または前記他の端末装置のいずれかの前記ユーザ属性情報に基づいて設定された通知タイミングで、自装置および前記他の端末装置の前記状態情報を含む状態通知を、前記管理装置に送信する構成とする。
【００４５】
これによると、他の端末装置の情報を自装置の情報とともに管理装置に送信することができる。また、自装置や他の端末装置のユーザ属性に応じた適切なタイミングで状態通知を管理装置に送信することができる。
【００４６】
以下、本発明の実施の形態を、図面を参照しながら説明する。
【００４７】
（第１実施形態）
図１は、第１実施形態に係る登山者管理システムの全体構成図である。
【００４８】
この登山者管理システムは、入山中の登山者に関する情報を収集して管理するものであり、親端末１（端末装置、リーダー端末）と、子端末２（端末装置、メンバー端末）と、サーバ３（管理装置）と、中継装置４と、を備えている。
【００４９】
親端末１（リーダー端末）は、スマートフォンなどの携帯端末であり、単独登山者およびグループ登山のリーダーが所持する。子端末２（メンバー端末）は、身体に着用されるウェアラブル端末であり、グループ登山のメンバー（グループ内のリーダー以外の登山者）が所持する。この親端末１および子端末２は、登山口の管理所などで登山者に貸し出される。
【００５０】
中継装置４は、親端末１および子端末２とサーバ３との通信を中継する。この中継装置４は、例えば山中の山小屋などに設置される。
【００５１】
サーバ３は、入山中の登山者に関する情報を親端末１および子端末２から収集して管理するものである。このサーバ３は、例えば山麓の管理所などに設置される。このサーバ３では、収集した登山者の情報に基づいて監視画面が表示され、登山者の状態を管理者が監視することができる。また、サーバ３では、収集した登山者の情報に基づいて登山者の異常を検知した場合には救助隊への通報が行われる。
【００５２】
次に、本システムにおいて収集管理される登山者の情報について説明する。図２は、本システムにおいて収集管理される登山者の情報を示す説明図である。図３は、通常時における親端末１および子端末２からの状態通知の送信状況を示す説明図である。
【００５３】
図２に示すように、登山者は、入山する際に、登山口の管理所などで登山届（登山計画書）を提出する。管理者は、登山届に基づいて、ユーザ情報（登山者情報）をサーバ３で入力し、サーバ３にユーザ情報が登録される。このユーザ情報には、ユーザＩＤ（登山者番号）、ユーザ属性情報、所属組織名称、グループ名称、グループＩＤ（グループ番号）、本人および緊急連絡先の電話番号、氏名、住所、年齢、性別、救助体制情報、行動予定情報、および端末ＩＤが含まれる。
【００５４】
ここで、ユーザＩＤ（個人識別子）は、登山者の各人に付与されるものである。
【００５５】
ユーザ属性情報は、単独登山（単独行動）およびグループ登山（グループ行動）の別を表す情報を含む。また、ユーザ属性情報は、見守りが必要か否かに関する情報を含む。具体的には、高齢者、持病（疾病）、および障害者に関する情報を含む。このユーザ属性情報により、登山者の救助を適切に行うことができる。
【００５６】
所属組織名称は、登山者が所属する協会や連盟などの組織の名称である。グループ名称は、登山者が所属する登山グループの名称である。グループＩＤは、登山グループの各々に付与されるものであり、例えば、登山届を受理した順に付与される通し番号である。
【００５７】
救助体制情報は、救助体制の有無や、救助体制が整っている場合の人数および救助体制の内容などに関する情報である。行動予定情報は、登山予定経路などに関する情報である。
【００５８】
端末ＩＤは、登山者に配布される親端末１および子端末２の各々に付与されるものである。
【００５９】
また、本実施形態では、登山者が所持する親端末１および子端末２から、状態通知がサーバ３に送信される。この状態通知には、ユーザＩＤ、ユーザ属性情報、位置情報、時間情報、速度情報、進行情報、生体情報、端末状態情報、および電池残量情報が含まれる。
【００６０】
ここで、進行情報は、登山者が上り方向および下り方向のいずれの方向に進行しているかを表すものである。
【００６１】
生体情報は、生体センサ１４，４４（図１２，図１３参照）で検出される登山者の心拍数、脈拍数、血圧、体温、および心電波形などである。また、端末状態情報は、端末状態センサ１５，４５（図１２，図１３参照）で検出される角速度、加速度、および気圧などである。
【００６２】
特に本実施形態では、図３（Ａ）に示すように、グループ登山のメンバーが所持する子端末２では、自装置の情報を含む状態通知を、グループ登山者のリーダーが所持する親端末１に送信する。親端末１では、自装置の情報と子端末２の情報とを含む状態通知をサーバ３に送信する。このとき、子端末２の情報は、子端末２から受信した状態通知に含まれる情報である。また、親端末１の配下に子端末２が複数ある場合には、複数の子端末２の情報を含む状態通知が親端末１からサーバ３に送信される。
【００６３】
子端末２はウェアラブル端末であり、電池が小容量であるため、電力消費が大きいサーバ３との間の遠距離通信を親端末１に任せることで、子端末２の電力消費を低減することができる。
【００６４】
一方、図３（Ｂ）に示すように、単独登山者が所持する親端末１では、自装置の情報を含む状態通知をサーバ３に送信する。
【００６５】
なお、図２，図３では、位置情報および生体情報を含む状態通知の例を示したが、本実施形態では、位置情報を含むが生体情報を含まない状態通知と、位置情報とともに生体情報も含む状態通知とあり、これらの状態通知が異なるタイミングで送信される。
【００６６】
次に、親端末１において自装置の情報を収集して状態通知を送信する通知タイミングについて説明する。図４は、親端末１において通知タイミングを設定する要領を示す説明図である。
【００６７】
親端末１では、自装置のユーザ属性および配下の子端末２のユーザ属性に基づいて、自装置の情報を収集して状態通知を送信する通知タイミングを設定する。また、本実施形態では、位置情報を収集してその位置情報を含む状態通知を送信する通知タイミングと、生体情報を収集してその生体情報を含む状態通知を送信する通知タイミングとを、ユーザ属性情報に応じた異なる周期に設定する。
【００６８】
具体的には、グループ登山で、かつ、見守りが必要でない場合には、通知タイミングを第１の方式に設定する。また、グループ登山で、かつ、見守りが必要である場合には、通知タイミングを第２の方式に設定する。また、単独登山で、かつ、見守りが必要でない場合には、通知タイミングを第３の方式に設定する。また、単独登山で、かつ、見守りが必要である場合には、通知タイミングを第４の方式に設定する。つまり、見守りの必要度が最も大きい方式が第４の方式で、最も小さい方式が第１の方式となる。親端末１は、自装置のユーザ属性および配下の子端末２のユーザ属性の中で、見守りの必要度が最も大きい（通知タイミングが短い）方式を、状態通知を送信する通知タイミングとして設定する。なお、子端末２のユーザ属性は、登山開始前に予め親端末１に登録するようにしてもよいし、あるいは、子端末２の電源投入直後などに、子端末２から受信して記憶しておくようにしてもよい。
【００６９】
第１の方式では、位置情報に関する通知の頻度および生体情報に関する通知の頻度をともに低く設定する。具体的には、例えば通知の周期を、位置情報および生体情報ともに１０分間とする。これは、高齢者ではなく、持病もない人がグループで登山を行う場合が、最も危険性が低いためである。
【００７０】
第２の方式では、位置情報に関する通知の頻度を低く設定し、生体情報に関する通知の頻度を高く設定する。具体的には、例えば通知の周期を、位置情報では１０分間とし、生体情報では１分間とする。これは、高齢者や持病のある人は、体調不良などが原因で遭難のリスクは高いが、グループ内の他の人の助けがある程度は期待できるため、単独登山である場合と比較して、危険性が低いためである。
【００７１】
第３の方式では、位置情報に関する通知の頻度を高く設定し、生体情報に関する通知の頻度を低く設定する。具体的には、例えば通知の周期を、位置情報では１分間とし、生体情報では１０分間とする。これは、高齢者ではなく、持病もない人が単独で登山を行う場合、高齢者や持病のある人と比較すると遭難のリスクは低いが、遭難時において他の人の助けが得られ難く、安否不明となるリスクも高いため、グループ登山である場合と比較して、危険性が高いためである。
【００７２】
第４の方式では、位置情報に関する通知の頻度および生体情報に関する通知の頻度をともに高く設定する。具体的には、例えば通知の周期を、位置情報および生体情報ともに１分間とする。これは、高齢者や持病のある人が単独で登山を行う場合が、最も危険性が高いためである。
【００７３】
次に、子端末２において自装置の情報を収集して状態通知を送信する通知タイミングについて説明する。図５は、子端末２において通知タイミングを設定する要領を示す説明図である。
【００７４】
子端末２では、自装置のユーザ属性に基づいて、自装置の情報を収集して状態通知を送信する通知タイミングを設定する。また、本実施形態では、位置情報を収集してその位置情報を含む状態通知を送信する通知タイミングと、生体情報を収集してその生体情報を含む状態通知を送信する通知タイミングとを、ユーザ属性情報に応じた異なる周期に設定する。
【００７５】
このとき、子端末２は、単独登山の場合はなく、グループ登山となるため、自装置のユーザ属性に基づいて、見守りが必要か否かの判定を行い、その判定結果に応じて通知タイミングを設定する。
【００７６】
すなわち、見守りが必要でない場合には、通知タイミングを第１の方式に設定し、見守りが必要である場合には、通知タイミングを第２の方式に設定する。
【００７７】
図４に示した親端末１の場合と同様に、第１の方式では、位置情報に関する通知の頻度および生体情報に関する通知の頻度をともに低く設定する。具体的には、例えば通知の周期を、位置情報および生体情報ともに１０分間とする。第２の方式では、位置情報に関する通知の頻度を低く設定し、生体情報に関する通知の頻度を高く設定する。具体的には、例えば通知の周期を、位置情報では１０分間とし、生体情報では１分間とする。
【００７８】
次に、子端末２において自分のグループの親端末１を発見できない場合について説明する。図６は、子端末２において自分のグループの親端末１を発見できない場合における子端末２および別のグループの親端末１からの状態通知の送信状況を示す説明図である。
【００７９】
子端末２では、自分のグループの親端末１を探索して、発見した親端末１に、自装置の情報を含む状態通知を送信するが、グループ登山のメンバーとリーダーとが離ればなれになると、子端末２において、自分のグループの親端末１を発見することができなくなる場合がある。この場合、本実施形態では、子端末２において、近くにいる別のグループの親端末１を探索して、発見した別のグループの親端末１に、子端末２の情報を含む状態通知を送信し、その別のグループの親端末１を経由して、子端末２の情報をサーバ３に送信する。
【００８０】
子端末２から別のグループの親端末１に送信される状態通知に含まれる情報は、子端末２から自分のグループの親端末１に送信する状態通知（図３（Ａ）参照）と同様である。別のグループの親端末１では、子端末２から状態通知を受信すると、自分のグループの子端末２の場合と同様に、子端末２の情報と自装置の情報とを含む状態通知をサーバ３に送信する。このとき、子端末２の情報と自装置の情報の全体を圧縮し、圧縮した情報を含む状態通知をサーバ３に送信するようにするとよい。
【００８１】
次に、子端末２において自分のグループの親端末１および別のグループの親端末１を発見できない場合について説明する。図７は、子端末２において自分のグループの親端末１および別のグループの親端末１を発見できない場合における子端末２からの状態通知の送信状況を示す説明図である。
【００８２】
子端末２において、自分のグループの親端末１を発見できず、さらに、別のグループの親端末１も発見できない場合がある。この場合、本実施形態では、子端末２の情報を含む状態通知を子端末２からサーバ３に直接送信する。
【００８３】
子端末２からサーバ３に送信される状態通知に含まれる情報は、子端末２から親端末１に送信する状態通知（図３（Ａ）参照）と同様であるが、子端末２からサーバ３に送信される状態通知には、サーバ３に直接送信したことを表すフラグ（迷子フラグ）が追加される。
【００８４】
次に、親端末１が電池残量不足状態である場合に行われる代理送信について説明する。図８は、代理送信時における状態通知の送信状況を示す説明図である。
【００８５】
親端末１では、電池の残量が所定値以下となる電池残量不足状態になると、自装置の代わりに、自装置の情報および配下の子端末２の情報をサーバ３に送信する代理送信を、別の親端末１に依頼する。
【００８６】
この場合、電池残量不足状態になった依頼元の親端末１から、代理送信を行う依頼先の親端末１に、自装置の情報と配下の子端末２の情報とを含む代理送信依頼を送信する。この代理送信依頼に含まれる情報は、通常時に親端末１からサーバ３に送信される状態通知（図３（Ａ）参照）と同様である。
【００８７】
代理送信を行う依頼先の親端末１では、依頼元の親端末１から代理送信依頼を受信すると、その代理送信依頼に含まれる別のグループの情報と、自装置の情報と、配下の子端末２の情報とを含む状態通知をサーバ３に送信する。このとき、情報の全体を圧縮し、圧縮した情報を含む状態通知をサーバ３に送信するようにするとよい。
【００８８】
なお、図８に示す例では、代理送信の依頼元の親端末１および依頼先の親端末１の両方が、登山グループのリーダーが所持する親端末１で、配下に子端末２がある場合を示したが、代理送信の依頼元の親端末１や依頼先の親端末１が、単独登山者が所持する親端末１で、配下に子端末２がない場合であってもよい。
【００８９】
また、図６，図７，図８では、位置情報および生体情報を含む状態通知の例を示したが、本実施形態では、位置情報を含むが生体情報を含まない状態通知と、位置情報とともに生体情報も含む状態通知とあり、これらの状態通知が異なるタイミングで送信される。
【００９０】
次に、親端末１で設定される代理送信の依頼順位について説明する。図９は、依頼順位を決定する要領を示す説明図である。
【００９１】
本実施形態では、親端末１の各々において、ユーザ属性情報に基づいて自装置の依頼順位が設定され、この親端末１の依頼順位に基づいて、代理送信を依頼する親端末１が決定される。
【００９２】
このときリスク（事故の危険性）が低い登山者の親端末１を代理送信の依頼先に選択することが望ましい。そこで、リスクが低い登山者の親端末１の依頼順位が高くなるように依頼順位が設定される。
【００９３】
具体的には、グループ登山で、かつ、見守りが必要でない場合には、依頼順位を１位に設定する。また、グループ登山で、かつ、見守りが必要である場合には、依頼順位を２位に設定する。また、単独登山で、かつ、見守りが必要でない場合には、依頼順位を３位に設定する。また、単独登山で、かつ、見守りが必要である場合には、依頼順位を４位に設定する。なお、依頼順位が１位の親端末１が複数存在する場合、登山経験が豊富なリーダーが保持する親端末１の依頼順位を、他の依頼順位が１位の親端末１より高く設定してもよい。あるいは、進行方向が同じ親端末１などの依頼順位を、他の依頼順位が１位の親端末１より高く設定してもよい。
【００９４】
ここで、登山グループのリーダーが所持する親端末１では、配下の子端末２のユーザ属性に応じて依頼順位が変化する。例えば、親端末１自体のユーザ属性に基づく依頼順位が１位である場合でも、グループ内で見守りが必要なメンバーの人数が、見守りが必要でないメンバーの人数より多い場合には、依頼順位を２位に設定する。
【００９５】
次に、代理送信時における親端末１およびサーバ３の動作手順について説明する。図１０は、代理送信時における親端末１およびサーバ３の動作手順を示すシーケンス図である。
【００９６】
本実施形態では、図１０（Ａ）に示すように、親端末１において、電池の残量が所定値以下となる電池残量不足状態が検知されると、電池残量警告をサーバ３に送信する。
【００９７】
サーバ３では、親端末１から電池残量警告を受信すると、電池残量警告の送信元の親端末１と同じ中継装置４の通信エリア内に位置する別の親端末１を探索する。そして、別の親端末１を発見し、発見された親端末１が複数ある場合、その親端末１の中で依頼順位が最も高い親端末１を代表端末に決定して、特定の親端末１を代表端末に決定したことを表す代表決定通知を、電池残量警告の送信元の親端末１および代表端末に決定された親端末１に送信する
【００９８】
電池残量警告の送信元の親端末１では、サーバ３から代表決定通知を受信すると、自装置の情報と配下の子端末２の情報とを含む代理送信依頼を、代表端末となる親端末１に送信する。
【００９９】
代表端末となる親端末１では、別の親端末１から代理送信依頼を受信すると、その代理送信依頼に含まれる情報と、自装置の情報と、配下の子端末２の情報とを含む状態通知をサーバ３に送信する。このとき、情報の全体を圧縮し、圧縮した情報を含む状態通知をサーバ３に送信するようにするとよい。
【０１００】
また、本実施形態では、図１０（Ｂ）に示すように、親端末１において、電池残量不足が検知されると、周辺に存在する別の親端末１を探索する。そして、別の親端末１を発見すると、その親端末１の中で依頼順位が最も高い親端末１を依頼先に決定して、その依頼先の親端末１に代理送信依頼を送信する。依頼先の親端末１の動作は図１０（Ａ）に示す代表端末となる親端末１と同様である。
【０１０１】
このように本実施形態では、サーバ３が代表端末となる親端末１を決定して、その代表端末となる親端末１に代理送信を行わせる場合（図１０（Ａ））と、電池残量不足状態となった親端末１が依頼先となる親端末１を決定して、その依頼先となる親端末１に代理送信を行わせる場合（図１０（Ｂ））とがある。
【０１０２】
なお、代理送信依頼を代表端末に送信した依頼元の親端末１は、配下の子端末２に、代表端末の情報を通知し、以降は自装置ではなく代表端末に直接、子端末２の状態情報を含む状態通知を送信するよう指示してもよい。これによれば、電池残量不足となった親端末１は、自装置の状態情報のみを代表端末に送信すればよいので、電池の消費を低減させることができる。あるいは、子端末２の中からサブリーダー端末を選定し、親端末１が電池残量不足になった場合等に限り、サブリーダー端末が、グループの親端末１や子端末２の状態情報を含む状態通知を代表端末に直接通信するようにしてもよい。
【０１０３】
次に、サーバ３に蓄積されるユーザ管理情報について説明する。図１１は、サーバ３に蓄積されるユーザ管理情報の一例を示す説明図である。
【０１０４】
本実施形態では、親端末１および子端末２から状態通知がサーバ３に送信され、サーバ３では、受信した状態通知に含まれる情報がユーザ管理情報として蓄積される。図１１に示す例では、時間情報、ユーザＩＤ、生体情報、位置情報、端末状態情報、電池残量情報、および迷子フラグの情報が蓄積されている。なお、図１１に示す例では、生体情報として、心拍数を表すＢＰＭ（Beats Per Minute）が蓄積され、端末状態情報として、ジャイロセンサおよび気圧センサの検出値が蓄積されている。
【０１０５】
次に、親端末１の概略構成について説明する。図１２は、親端末１の概略構成を示すブロック図である。
【０１０６】
親端末１は、近距離通信部１１（第２の通信部）と、遠距離通信部１２（通信部）と、測位部１３と、生体センサ１４（生体状態検出部）と、端末状態センサ１５（装置状態検出部）と、制御部１６と、記憶部１７と、表示部１８と、操作入力部１９と、電池２０と、を備えている。
【０１０７】
近距離通信部１１は、子端末２および他の親端末１と近距離通信を行う。
【０１０８】
遠距離通信部１２は、中継装置４を介してサーバ３と遠距離通信を行う。
【０１０９】
測位部１３は、ＧＰＳ（Global Positioning System）などの衛星測位システムを利用して、自装置の位置を測定して、位置情報（緯度および経度）を出力する。
【０１１０】
生体センサ１４は、登山者の心拍数、脈拍数、血圧、体温、および心電波形などを検出する。なお、この生体センサは、登山者が着用するウェアラブルデバイスに設けるようにしてもよい。
【０１１１】
端末状態センサ１５は、角速度、加速度、および気圧などの自装置の状態を検出する。
【０１１２】
表示部１８は、ユーザ属性情報などの登山者の情報を入力するための画面を表示する。
【０１１３】
操作入力部１９は、表示部１８に表示される画面にしたがって、ユーザ属性情報などの登山者の情報を登山者が入力する操作を行う。
【０１１４】
記憶部１７は、制御部１６を構成するプロセッサで実行されるプログラムを記憶する。また、記憶部１７は、ユーザＩＤや、ユーザ属性情報や、端末ＩＤなどを記憶する。なお、ユーザ属性情報として、高齢者、持病のある人、および障害者に関する情報を記憶するようにしてもよいが、これらの情報に基づいて判断される見守りが必要か否かに関する情報のみを記憶するようにしてもよい。
【０１１５】
制御部１６は、情報収集部３１と、通知制御部３２と、情報圧縮部３３と、タイミング制御部３４と、依頼順位設定部３５と、電池残量不足検知部３６と、を備えている。この制御部１６は、プロセッサで構成され、制御部１６の各部は、記憶部１７に記憶されたプログラムをプロセッサで実行することで実現される。
【０１１６】
情報収集部３１は、測位部１３から位置情報を取得する。また、生体センサ１４から生体情報（心拍、脈拍、血圧、体温、心電波形など）を取得する。また、端末状態センサ１５から端末状態情報（角速度、加速度、気圧など）を取得する。また、測位部１３から取得した位置情報や端末状態情報に基づいて進行情報を取得する。また、電池２０から電池残量情報を取得する。
【０１１７】
通知制御部３２は、近距離通信部１１で子端末２から受信した状態通知を受け付ける。また、通知制御部３２は、情報収集部３１で収集した自装置の情報と子端末２から受信した情報とを含む状態通知を、遠距離通信部１２からサーバ３に送信する。このとき、情報の全体を情報圧縮部３３で圧縮して、この圧縮情報を含む状態通知を、サーバ３に送信するようにするとよい。
【０１１８】
また、通知制御部３２は、電池残量不足検知部３６で電池残量不足を検知すると、電池残量警告を遠距離通信部１２からサーバ３に送信する。また、通知制御部３２は、遠距離通信部１２でサーバ３から受信した代表決定通知を受け付ける。また、通知制御部３２は、情報収集部３１で収集した自装置の情報と子端末２から受信した情報とを含む代理送信依頼を、依頼先選択部３７で選択した依頼先の親端末１に近距離通信部１１から送信する。また、通知制御部３２は、他の親端末１から代理送信依頼を近距離通信部１１で受信すると、その代理送信依頼に含まれる情報を含む状態通知を、遠距離通信部１２からサーバ３に送信する。
【０１１９】
情報圧縮部３３は、近距離通信部１１で子端末２から受信した状態通知に含まれる情報および情報収集部３１で収集した自装置の情報を圧縮する。また、情報圧縮部３３は、他の親端末１から近距離通信部１１で受信した代理送信依頼に含まれる情報も圧縮する。
【０１２０】
タイミング制御部３４は、情報収集部３１において自装置の情報を収集して状態通知を送信する通知タイミングを制御する。本実施形態では、自装置のユーザ属性情報に基づいて、通知タイミング（周期）を設定する。
【０１２１】
依頼順位設定部３５は、自装置のユーザ属性情報および配下の子端末２のユーザ属性情報に基づいて、自装置に関する代理送信の依頼順位を設定する。
【０１２２】
電池残量不足検知部３６は、情報収集部３１で収集した電池残量情報に基づいて、電池の残量が所定値以下になる電池残量不足状態を検知する。
【０１２３】
依頼先選択部３７は、依頼順位設定部３５に設定した依頼順位に基づいて、代理送信の依頼先となる親端末１を選択する。本実施形態では、電池残量不足検知部３６で電池残量不足状態を検知した場合に、周辺に存在する別の親端末１を探索して、別の親端末１を発見すると、その別の親端末１の中で依頼順位が最も高い親端末１を依頼先に選択する。
【０１２４】
このとき、依頼順位が同じように高い親端末１が複数ある場合には、自装置に最も位置が近い親端末１を依頼先に選択する。また、進行情報に基づいて、自装置と進行方向が同じ親端末１を依頼先に選択する。
【０１２５】
次に、子端末２の概略構成について説明する。図１３は、子端末２の概略構成を示すブロック図である。
【０１２６】
子端末２は、近距離通信部４１と、遠距離通信部４２と、測位部４３と、生体センサ４４（生体状態検出部）と、端末状態センサ４５（装置状態検出部）と、制御部４６と、記憶部４７と、表示部４８と、操作入力部４９と、電池５０と、を備えている。
【０１２７】
近距離通信部４１は、親端末１と近距離通信を行う。
【０１２８】
遠距離通信部４２は、中継装置４を介してサーバ３と遠距離通信を行う。この遠距離通信部４２は、親端末１を発見できない場合に自らサーバ３に送信するための非常時に用いられる。
【０１２９】
測位部４３は、ＧＰＳなどの衛星測位システムを利用して、自装置の位置を測定して、位置情報（緯度および経度）を出力する。
【０１３０】
生体センサ４４は、登山者の心拍数、脈拍数、血圧、体温、および心電波形などを検出する。
【０１３１】
端末状態センサ４５は、角速度、加速度、および気圧など自装置の状態を検出する。
【０１３２】
表示部４８は、ユーザ属性情報などの登山者の情報を入力するための画面を表示する。
【０１３３】
操作入力部４９は、表示部４８に表示される画面にしたがって、ユーザ属性情報などの登山者の情報を登山者が入力する操作を行う。
【０１３４】
記憶部４７は、制御部４６を構成するプロセッサで実行されるプログラムを記憶する。また、記憶部４７は、ユーザＩＤや、ユーザ属性情報や、端末ＩＤなどを記憶する。
【０１３５】
制御部４６は、情報収集部６１と、異常検知部６２と、通知制御部６３と、タイミング制御部６４と、を備えている。この制御部４６は、プロセッサで構成され、制御部４６の各部は、記憶部４７に記憶されたプログラムをプロセッサで実行することで実現される。
【０１３６】
情報収集部６１は、測位部４３から自装置の位置情報を取得する。また、生体センサ４４から生体情報（心拍、脈拍、血圧、体温、心電波形など）を取得する。また、端末状態センサ４５から端末状態情報（角速度、加速度、気圧など）を取得する。また、測位部４３から取得した位置情報や端末状態情報に基づいて進行情報を取得する。また、電池５０から電池残量情報を取得する。
【０１３７】
異常検知部６２は、情報収集部６１で収集した自装置の情報に基づいて、登山者の異常を検知する。すなわち、生体情報に基づいて、登山者の体調の異常を検知する。例えば、登山者の心拍数が異常値を示す場合には、登山者に体調の異常が発生したものと判定する。また、端末状態情報に基づいて、登山者の行動の異常を検知する。例えば、加速度や気圧が異常値を示す場合には、登山者に滑落事故などの異常が発生したものと判定する。
【０１３８】
通知制御部６３は、情報収集部６１で収集した自装置の情報を含む状態通知を、近距離通信部４１から親端末１に送信する。また、通知制御部６３は、親端末１を発見できない場合に、状態通知を遠距離通信部４２からサーバ３に送信する。
【０１３９】
タイミング制御部６４は、情報収集部６１において自装置の情報を収集して状態通知を送信する通知タイミングを制御する。本実施形態では、自装置のユーザ属性情報に基づいて、通知タイミング（周期）を設定する。
【０１４０】
次に、サーバ３の概略構成について説明する。図１４は、サーバ３の概略構成を示すブロック図である。
【０１４１】
サーバ３は、通信部７１と、制御部７２と、記憶部７３と、表示部７４と、操作入力部７５と、を備えている。
【０１４２】
通信部７１は、中継装置４を介して親端末１および子端末２と通信を行う。
【０１４３】
表示部７４は、監視画面を表示する。この監視画面を管理者が閲覧することで、登山者の状態を管理者が監視することができる。また、表示部７４は、ユーザ情報を入力するための入力画面を表示する。
【０１４４】
操作入力部７５は、表示部７４の画面操作や情報の入力などの操作を管理者が行う。
【０１４５】
記憶部７３は、制御部７２を構成するプロセッサで実行されるプログラムを記憶する。また、記憶部７３は、地図情報や、ユーザ管理情報などを記憶する。
【０１４６】
制御部７２は、ユーザ登録部８１と、通知制御部８２と、異常検知部８３と、代表端末決定部８４と、経路予測部８５と、通報部８６と、画面制御部８７と、を備えている。この制御部７２は、プロセッサで構成され、制御部７２の各部は、記憶部７３に記憶されたプログラムをプロセッサで実行することで実現される。
【０１４７】
ユーザ登録部８１は、登山者が提出した登山届に基づいて、管理者が操作入力部７５を用いて入力したユーザ情報を記憶部７３に記憶する。
【０１４８】
通知制御部８２は、通信部７１で親端末１または子端末２から受信した状態通知や、通信部７１で親端末１から受信した電池残量警告を受け付ける。また、通知制御部８２は、代表端末決定部８４において代表端末に決定された親端末１、および電池残量警告の送信元の親端末１に、代表決定通知を通信部７１から送信する。
【０１４９】
異常検知部８３は、生体情報、端末状態情報、および位置情報に基づいて、登山者の異常を検知する。すなわち、生体情報に基づいて、登山者の体調の異常を検知する。例えば、登山者の心拍数が異常値を示す場合には、異常と判定する。また、端末状態情報に基づいて、登山者の異変を検知する。例えば、加速度や気圧が異常値を示す場合には、登山者に滑落などの異変が発生したものとして、異常と判定する。また、位置情報に基づいて、登山者の経路の異常を検知する。例えば、登山者の位置が登山道から所定距離以上外れている場合には、異常と判定する。
【０１５０】
代表端末決定部８４は、親端末１から電池残量警告を通信部７１で受信すると、その電池残量警告の送信元の親端末１の代わりに、その親端末１の情報およびその配下の子端末２の情報をサーバ３に送信する代理送信を行う代表端末を決定する。このとき、電池残量警告の送信元の親端末１と同じ中継装置４の通信エリア内に位置する別の親端末１を探索して、発見された親端末１の依頼順位に基づいて、代表端末を決定する。
【０１５１】
このとき、依頼順位が同じように高い親端末１が複数ある場合には、電池残量警告の送信元の親端末１に最も近い親端末１を代表端末に選出する。また、進行情報に基づいて、電池残量警告の送信元の親端末１と進行方向が同じ親端末１を、代表端末に選出する。
【０１５２】
経路予測部８５は、登山者の過去の位置情報に基づいて、登山者の経路を予測する。なお、この経路予測には機械学習を用いるとよい。
【０１５３】
通報部８６は、異常検知部８３で登山者の異常を検知した場合に、通信部７１から救助隊装置７に救助要請などの通知を送信する。
【０１５４】
画面制御部８７は、記憶部１７に記憶されたユーザ管理情報に基づいて、監視画面としての経路表示画面（図２０（Ａ），（Ｂ）参照）、および位置表示画面（図２０（Ｃ）参照）と、ユーザ一覧画面（図２１参照）と、を表示部１８に表示する。
【０１５５】
次に、親端末１の動作手順について説明する。図１５および図１６は、親端末１の動作手順を示すフロー図である。
【０１５６】
親端末１では、図１５に示すように、まず、タイミング制御部３４および依頼順位設定部３５において、自装置および配下の子端末２のユーザ属性情報を取得する（ＳＴ１０１）。そして、自装置および配下の子端末２のユーザ属性に基づいて、グループ登山か否かの判定（ＳＴ１０２）と、見守りが必要か否かの判定（ＳＴ１０３，ＳＴ１０４）と、を行い、その判定結果に応じて、代理送信の依頼順位と通知タイミングとを設定する（ＳＴ１０５〜ＳＴ１１２）。なお、子端末２のユーザ属性は、登山開始前に予め親端末１に登録するようにしてもよいし、あるいは、子端末２の電源投入直後などに、子端末２から受信して記憶しておくようにしてもよい。
【０１５７】
ここで、グループ登山で（ＳＴ１０２でＹｅｓ）、かつ、見守りが必要でない場合には（ＳＴ１０３でＮｏ）、依頼順位を１位に設定し（ＳＴ１０５）、通知タイミングを第１の方式に設定する（ＳＴ１０６）。また、グループ登山で（ＳＴ１０２でＹｅｓ）、かつ、見守りが必要である場合には（ＳＴ１０３でＹｅｓ）、依頼順位を２位に設定し（ＳＴ１０７）、通知タイミングを第２の方式に設定する（ＳＴ１０８）。また、グループ登山でない（ＳＴ１０２でＮｏ）、すなわち単独登山で、かつ、見守りが必要でない場合には（ＳＴ１０４でＮｏ）、依頼順位を３位に設定し（ＳＴ１０９）、通知タイミングを第３の方式に設定する（ＳＴ１１０）。また、グループ登山でない（ＳＴ１０４でＮｏ）、すなわち単独登山で、かつ、見守りが必要である場合には（ＳＴ１０４でＹｅｓ）、依頼順位を４位に設定し（ＳＴ１１１）、通知タイミングを第４の方式に設定する（ＳＴ１１２）。
【０１５８】
なお、登山グループのリーダーが所持する親端末１では、配下の子端末２のユーザ属性に応じて依頼順位が変化する。依頼順位を設定する際には、自装置のユーザ属性を取得するとともに、配下の子端末２のユーザ属性を取得して、これらのユーザ属性に基づいて依頼順位を設定する。自装置のユーザ属性および配下の子端末２のユーザ属性において最も低い依頼順位を親端末１の依頼順位に設定するようにするとよい。
【０１５９】
次に、通知制御部３２において、依頼順位設定部３５で設定された依頼順位で、他の親端末１からの代理送信依頼の受け付けを開始する（ＳＴ１１３）。また、配下の子端末２からの状態通知の受け付けを開始する（ＳＴ１１４）。
【０１６０】
次に、情報収集部３１において、タイミング制御部３４で設定された通知タイミングで自装置の情報を収集する（ＳＴ１１５）。
【０１６１】
次に、図１６に示すように、子端末２から送信される状態通知を近距離通信部１１で受信する（ＳＴ１１６）。
【０１６２】
次に、通知制御部３２において、サーバ３から送信される代表決定通知を遠距離通信部１２で受信したか否かを判定する（ＳＴ１１７）。ここで、代表決定通知を受信した場合には（ＳＴ１１７でＹｅｓ）、その代表決定通知に基づいて、自装置が代表端末であるか否かを判定する（ＳＴ１１８）。
【０１６３】
ここで、自装置が代表端末でない場合には（ＳＴ１１８でＮｏ）、自装置の情報と子端末２の情報とを含む代理送信依頼を、近距離通信部１１から代表端末となる親端末１に送信する（ＳＴ１１９）。そして、図１５のＳＴ１１５に戻る。なお、代理送信依頼に含まれる状態情報を圧縮するようにしてもよい。
【０１６４】
一方、自装置が代表端末である場合には（ＳＴ１１８でＹｅｓ）、他の親端末１から代理送信依頼を近距離通信部１１で受信する（ＳＴ１２０）。そして、情報圧縮部３３において、代理送信依頼の情報と自装置の情報と自装置の子端末２の情報とを圧縮し（ＳＴ１２７）、圧縮情報を含む状態通知を、遠距離通信部１２からサーバ３に送信する（ＳＴ１２８）。
【０１６５】
また、サーバ３から代表決定通知を受信していない場合には（ＳＴ１１７でＮｏ）、次に、電池残量不足検知部３６において、自装置の電池残量が十分にあるか否かを判定する（ＳＴ１２１）。ここで、自装置の電池残量が充分にない場合には（ＳＴ１２１でＮｏ）、通知制御部３２において、電池残量警告を遠距離通信部１２からサーバ３に送信する（ＳＴ１２２）。
【０１６６】
次に、依頼先選択部３７において、周辺に存在する別の親端末１を探索する（ＳＴ１２３）。そして、別の親端末１を発見すると（ＳＴ１２４でＹｅｓ）、発見した別の親端末１の中で依頼順位が最も高い親端末１を依頼先に選択する（ＳＴ１２５）。このとき、依頼順位が同じように高い親端末１が複数ある場合には、自装置に最も位置が近い親端末１や、自装置と進行方向が同じ親端末１を依頼先に選択する。
【０１６７】
次に、通知制御部３２において、依頼先に選択した別の親端末１に、自装置の情報と子端末２の情報とを含む代理送信依頼を、近距離通信部１１から送信する（ＳＴ１２６）。そして、図１５のＳＴ１１５に戻る。
【０１６８】
一方、別の親端末１を発見できない場合には（ＳＴ１２４でＮｏ）、情報圧縮部３３において、自装置の情報と自装置の子端末２の情報とを圧縮し（ＳＴ１２７）、圧縮情報を含む状態通知を、遠距離通信部１２からサーバ３に送信する（ＳＴ１２８）。
【０１６９】
また、自装置の電池残量が十分にある場合には（ＳＴ１２１でＹｅｓ）、情報圧縮部３３において、サーバに送信する情報を圧縮し（ＳＴ１２７）、圧縮情報を含む状態通知を、遠距離通信部１２からサーバ３に送信する（ＳＴ１２８）。そして、図１５のＳＴ１１５に戻る。
【０１７０】
次に、子端末２の動作手順について説明する。図１７は、子端末２の動作手順を示すフロー図である。
【０１７１】
子端末２では、まず、タイミング制御部６４において、自装置のユーザ属性情報を取得する（ＳＴ２０１）。そして、自装置のユーザ属性情報に基づいて、見守りが必要か否かの判定（ＳＴ２０２）を行い、その判定結果に応じて通知タイミングを設定する（ＳＴ２０３，ＳＴ２０４）。
【０１７２】
ここで、見守りが必要でない場合には（ＳＴ２０２でＮｏ）、通知タイミングを第１の方式に設定する（ＳＴ２０３）。また、見守りが必要である場合には（ＳＴ２０２でＹｅｓ）、通知タイミングを第２の方式に設定する（ＳＴ２０４）。
【０１７３】
次に、情報収集部６１において、タイミング制御部６４で設定された通知タイミングで自装置の情報を収集する（ＳＴ２０５）。
【０１７４】
そして、異常検知部６２において、収集した情報に基づいて異常を検知すると（ＳＴ２０６でＹｅｓ）、通知制御部６３において、周辺に存在する自分のグループの親端末１を探索する（ＳＴ２０７）。そして、自分のグループの親端末１を発見すると（ＳＴ２０８でＹｅｓ）、その親端末１に、自装置の情報を含む状態通知を近距離通信部４１から送信する（ＳＴ２０９）。なお、ＳＴ２０６において異常を検知した場合に、親端末１を探索して状態通知を送信するとして説明したが、異常を検知しなかった場合でも、情報収集が所定回数に達した場合に、状態通知を親端末１に送信するようにするとよい（例えば、情報収集を５回する度に１回は状態通知を送信するなど）。
【０１７５】
一方、自分のグループの親端末１を発見できない場合には（ＳＴ２０８でＮｏ）、次に、周辺に存在する別のグループの親端末１を探索する（ＳＴ２１０）。そして、別のグループの親端末１を発見すると（ＳＴ２１１でＹｅｓ）、発見した別のグループの親端末１に、自装置の情報を含む状態通知を近距離通信部４１から送信する（ＳＴ２０９）。
【０１７６】
一方、別のグループの親端末１を発見できない場合には（ＳＴ２１１でＮｏ）、自装置の情報を含む状態通知を遠距離通信部４２からサーバ３に送信する（ＳＴ２１２）。このとき、子端末２から直接送信したことを表すフラグを状態通知に付加する。
【０１７７】
次に、サーバ３の動作手順について説明する。図１８は、サーバ３の動作手順を示すフロー図である。
【０１７８】
サーバ３では、まず、通知制御部８２において、親端末１または子端末２から送信される状態通知の受け付けを開始する（ＳＴ３０１）。そして、通信部７１で親端末１または子端末２から状態通知を受信すると（ＳＴ３０２でＹｅｓ）、受信した状態通知に含まれる情報を記憶部７３に記憶する（ＳＴ３０３）。
【０１７９】
次に、受信した状態通知に圧縮情報が含まれている場合には（ＳＴ３０４でＹｅｓ）、その圧縮情報を解凍する（ＳＴ３０５）。そして、状態通知に含まれる各ユーザの情報が、どのユーザの情報かを判別するユーザ照合を行う（ＳＴ３０６）。一方、子端末２から直接送信された場合のように、状態通知に圧縮情報が含まれていない場合には（ＳＴ３０４でＮｏ）、解凍を行わずに、ユーザ照合を行う（ＳＴ３０６）。なお、子端末２からサーバ３に直接送信される状態情報も圧縮してから送信するようにしてもよい。
【０１８０】
次に、異常検知部８３において、状態通知に含まれる情報に基づいて、登山者の異常を検知する（ＳＴ３０７）。そして、異常がある場合には（ＳＴ３０８でＹｅｓ）、画面制御部８７において、アラート表示、具体的には、ユーザ一覧画面（図２１参照）で異常がある登山者を強調表示する（ＳＴ３０９）。そして、経路予測部８５において、位置情報に基づいて登山者の移動経路を予測する（ＳＴ３１０）。このとき、経路表示画面（図２０（Ａ），（Ｂ）参照）が表示される。
【０１８１】
次に、通報部８６において既に救助隊に連絡済み、すなわち、救助要請などの通知を救助隊装置７に送信済みか否かを判定する（ＳＴ３１１）。ここで、救助隊に連絡済みでない場合には（ＳＴ３１１でＮｏ）、救助隊に連絡する（ＳＴ３１２）。次に、救助隊に連絡済みであることを表すフラグを設定する（ＳＴ３１３）。そして、ＳＴ３０２に戻り、次の状態通知の受信待ちになる。一方、既に救助隊に連絡していた場合には（ＳＴ３１１でＹｅｓ）、ＳＴ３０２に戻り、次の状態通知の受信待ちになる。
【０１８２】
また、異常がない場合には（ＳＴ３０８でＮｏ）、経路予測部８５において、位置情報に基づいて登山者の移動経路を予測する（ＳＴ３１４）。そして、ＳＴ３０２に戻り、次の状態通知の受信待ちになる。なお、このとき、管理者が所定の操作を行うことで、経路表示画面（図２０（Ａ），（Ｂ）参照）を表示させることができる。
【０１８３】
なお、ＳＴ３０２において、状態通知を受信できなかった場合、状態通知を送れないほど端末装置が破損する大事故が発生している場合も考えられる。このため、状態通知を所定回数受信できなかった場合は、救助隊への連絡を行うようにしてもよい。
【０１８４】
次に、サーバ３で行われる代表端末決定時の動作手順について説明する。図１９は、サーバ３で行われる代表端末決定時の動作手順を示すフロー図である。
【０１８５】
サーバ３では、まず、通知制御部８２において、親端末１から送信される電池残量警告の受け付けを開始する（ＳＴ３２１）。そして、通信部７１で親端末１から電池残量警告を受信すると（ＳＴ３２２でＹｅｓ）、代表端末決定部８４において、その電池残量警告の送信元の親端末１と同じ中継装置４の通信エリア内に位置する別の親端末１を探索する（ＳＴ３２３）。
【０１８６】
そして、別の親端末１を発見すると（ＳＴ３２４でＹｅｓ）、その親端末１の中で依頼順位が最も高い親端末１を代表端末に選出する（ＳＴ３２５）。このとき、依頼順位が同じように高い親端末１が複数ある場合には、電池残量警告の送信元の親端末１に最も位置が近い親端末１や、電池残量警告の送信元の親端末１と進行方向が同じ親端末１を、代表端末に選出する。なお、ユーザ情報に基づいて、登山経験が豊富なリーダーが保有する親端末１を、代表端末に選出してもよい。また、高齢者や持病のある人物がいるグループについては、複数グループを一つにまとめて代表端末を選出するようにしてもよい。これにより、高齢者や持病のある人物がいるグループは他のグループからの支援を受けやすくなる。
【０１８７】
次に、代表端末となる親端末１に、特定の親端末１を代表端末に決定したことを表す代表決定通知を通信部７１から送信する（ＳＴ３２６）。また、電池残量警告の送信元の親端末１に代表決定通知を通信部７１から送信する（ＳＴ３２７）。この代表決定通知は、代表端末となる親端末１に対しては、別の親端末１に代わって状態通知をサーバ３に送信するように指示するものとなり、電池残量警告の送信元の親端末１に対しては、自装置の情報および配下の子端末２の情報を、代表端末となる親端末１に送信するように指示するものとなる。
【０１８８】
一方、別の親端末１を発見できない場合には（ＳＴ３２４でＮｏ）、ＳＴ３２２に戻る。
【０１８９】
次に、サーバ３の表示部７４に表示される監視画面について説明する。図２０は、監視画面としての経路表示画面および位置表示画面の一例を示す説明図である。図２１は、監視画面としてのユーザ一覧画面の一例を示す説明図である。
【０１９０】
サーバ３では、記憶部７３に記憶されたユーザ管理情報に基づいて、監視画面として、図２０（Ａ），（Ｂ）に示す経路表示画面、および図２０（Ｃ）に示す位置表示画面を表示部１８に表示する。
【０１９１】
図２０（Ａ）に示す経路表示画面は、指定した登山者の過去および現在の位置情報（緯度および経度）を、平面図１０１上にマッピングして、登山者の移動経路として、登山者の平面的な位置の変化状況を表示するものであり、各時刻の登山者の位置を表すマーク１０２で表示される。
【０１９２】
図２０（Ｂ）に示す経路表示画面は、指定した登山者の過去および現在の位置情報（高度）を、断面図１０３上にマッピングして、登山者の移動経路として、登山者の高度の変化状況を表示するものであり、各時刻の登山者の位置を表すマーク１０４で表示される。
【０１９３】
図２０（Ｃ）に示す位置表示画面では、入山中の各登山者の現在の位置情報（緯度および経度）を、平面図１０１上にマッピングして、入山中の各登山者の現在の位置を表示するものであり、各登山者の現在の位置を表すマーク１０５で表示される。
【０１９４】
また、この位置表示画面では、異常がある登山者のマークが強調表示される。例えば、異常がある登山者のマークが赤色で表示される。
【０１９５】
また、経路表示画面および位置表示画面では、マーク１０２，１０４，１０５にマウスカーソルを重ねるマウスオーバーの操作により、端末ＩＤが表示される。また、グループ登山者の場合にはリーダーが所持する親端末１の位置が表示され、単独登山者の場合にはその登山者が所持する親端末１の位置が表示される。
【０１９６】
また、サーバ３では、記憶部７３に記憶されたユーザ管理情報に基づいて、監視画面として、図２１に示すユーザ一覧画面を表示部１８に表示する。このユーザ一覧画面には、入山中の登山者の情報が一覧表示される。このとき、異常検知部８３において、登山者の異常を検知すると、該当する登山者のレコードが強調表示される。図２１に示す例では、異常がある登山者のレコードが、他の登山者のレコードとは異なる色（例えばオレンジ色）で表示されている。
【０１９７】
また、このユーザ一覧画面には、登山者ごとに、端末ＩＤ、氏名、性別、年齢、所属組織、グループ構成、位置情報、生体情報、端末状態情報、および異常の各項目の情報が表示される。
【０１９８】
端末ＩＤの項目では、「Ｌ」の記号が親端末１を表し、「Ｇ」の記号が子端末２を表しており、親端末１には、「Ｌ」の記号と通し番号とからなる端末ＩＤが付与され、子端末２には、「Ｇ」の記号と通し番号とからなる端末ＩＤが付与される。
【０１９９】
また、グループ構成の項目では、グループ登山の場合には、親端末１および子端末２を配布した順に付与されるグループＩＤ（グループ番号）が丸数字で表示される。また、単独登山の場合には、「×」の記号が表示される。また、グループ登山のリーダーの場合には、「リ」の文字が表示される。
【０２００】
また、図２１に示す例では、生体情報として、心拍数を表すＢＰＭが表示されている。また、端末状態情報として、気圧センサの検出値が表示されている。
【０２０１】
また、異常の項目には、異常が検知された項目が表示される。図２１に示す例では、生体情報で異常を検知したことが表示されている。
【０２０２】
（第２実施形態）
次に、第２実施形態について説明する。なお、ここで特に言及しない点は前記の実施形態と同様である。図２２は、第２実施形態に係る子端末２の動作手順を示すフロー図である。
【０２０３】
第１実施形態では、子端末２において異常を検知した場合に状態通知を親端末１に送信するようにしたが、本実施形態では、所定のユーザ属性を有する人物である場合には、異常を検知しなくても、位置情報を含む状態通知を一定周期で定期的に送信する。また、異常を検知した場合には、生体情報（心拍数や体温など）を含む状態通知を送信する。
【０２０４】
以下に、第２実施形態に係る子端末２の動作手順について説明するが、親端末１でも同様である。なお、配下に子端末２を有する親端末１では、子端末２の情報を収集して状態通知に付加してサーバ３に送信する点が異なる。
【０２０５】
子端末２では、まず、情報収集部６１において、生体情報および端末状態情報を収集する（ＳＴ４０１）。次に、異常検知部６２において、生体情報および端末状態情報の異常を検知する（ＳＴ４０２）。そして、生体情報に異常がある場合には（ＳＴ４０３でＹｅｓ）、ユーザＩＤ、生体情報、および端末状態情報を含む状態通知を、近距離通信部４１から親端末１に送信する（ＳＴ４０５）。そして、ＳＴ４０１に戻る。なお、状態通知に、生体情報に異常があることを表す情報を付加するようにしてもよい。
【０２０６】
一方、生体情報に異常がない場合には（ＳＴ４０３でＮｏ）、次に、端末状態情報に異常があるか否かを判定する（ＳＴ４０４）。ここで、端末状態情報に異常がある場合には（ＳＴ４０４でＹｅｓ）、ユーザＩＤ、生体情報、および端末状態情報を含む状態通知を、近距離通信部４１から親端末１に送信する（ＳＴ４０５）。そして、ＳＴ４０１に戻る。なお、状態通知に、端末状態情報に異常があることを表す情報を付加するようにしてもよい。
【０２０７】
端末状態情報にも異常がない場合には（ＳＴ４０４でＮｏ）、生体情報および端末状態情報を収集した回数が所定の回数に達したかを判定する（ＳＴ４０６）。ここで、所定回数に達していなければ（ＳＴ４０６でＮｏ）、ＳＴ４０１に戻る。
【０２０８】
一方、生体情報および端末状態情報を収集した回数が所定の回数に達していれば（ＳＴ４０６でＹｅｓ）、所定のユーザ属性を有する人物か否かを判定する（ＳＴ４０７）。ここで、所定のユーザ属性を有する人物である場合には（ＳＴ４０７でＹｅｓ）、ユーザＩＤ、位置情報およびユーザ属性情報を含む状態通知を、近距離通信部４１から親端末１に送信する（ＳＴ４０８）。そして、ＳＴ４０１に戻る。一方、所定のユーザ属性を有する人物でない場合には（ＳＴ４０７でＮｏ）、状態通知を送信せずに、ＳＴ４０１に戻る。
【０２０９】
なお、異常を検知せず、所定のユーザ属性を有する人物でもない場合でも、ＳＴ４０６で判定する所定回数より多い所定の回数に達した場合には、状態通知を親端末１に送信するようにするとよい。
【０２１０】
ここで、所定のユーザ属性を有する人物とは、リスクの高い人物、すなわち、単独登山者や、高齢者、持病のある人および障害者などの見守りが必要である人物である。このようなリスクの高い人物の場合に、位置情報を含む状態通知を定期的に送信することで、リスクの高い人物の行動を詳細に監視することができる。また、リスクの低い人物の場合には、異常時のみ状態通知を送信することで、送信回数を少なくして電力消費を低減することができる。なお、単独登山者である場合と、見守りが必要である人物である場合とで、状態通知を異なる方法で行うことも可能である。具体的には、単独登山者である場合は、位置情報は周期的に送信するが、生体情報は異常時のみ送信する。見守りが必要である人物である場合は、位置情報は異常時のみ送信するが、生体情報は周期的に送信するようにしてもよい。
【０２１１】
以上のように、本出願において開示する技術の例示として、実施形態を説明した。しかしながら、本開示における技術は、これに限定されず、変更、置き換え、付加、省略などを行った実施形態にも適用できる。また、上記の実施形態で説明した各構成要素を組み合わせて、新たな実施形態とすることも可能である。
【０２１２】
例えば、前記の実施形態では、入山中の登山者に関する情報を収集して管理する登山者管理システムについて説明したが、登山者に限定されるものではなく、登山以外の目的で特定のエリアに滞在する人物に関する情報を収集して管理する用途にも適用することができる。例えば、パラグライダーに乗っている人物、スキー場でスキーを行っている人物、被災地にいる人物などのように救助が困難な場所にいる人物に適用することも可能である。
【０２１３】
また、親端末１の代理送信依頼や親端末１の中からの代表端末選出に関する実施形態は、登山者に対して適用する場合について示したが、登山者に限定されるものではなく、登山以外の用途にも適用することができる。例えば、複数のグループが団体旅行を行う場合、各グループの引率者やリーダーなどから情報収集して点呼などを行う場合に、電池残量の少ない親端末１は、他の親端末１に代理送信を依頼したり、親端末１の中からの代表端末を選出して複数グループの情報を一括して送信することも可能である。さらに、児童の集団登下校中、複数の登下校グループが付近にいる場合、登下校グループのリーダーが保有する親端末１の中から代表端末を選出し、代表端末のみが学校などに位置情報などを送信することも可能である。また、被災地において、避難者の各グループにおける親端末１の中から代表端末を選出し、避難者がいる場所、人数、体調等に関する情報を代表端末が送信することによって、救助依頼を行うことも可能である。
【０２１４】
また、前記の実施形態では、グループのリーダーに親端末を所持させ、グループのメンバーに子端末を所持させるようにしたが、全ての登山者に同一構成の端末を所持させるようにしてもよい。
【産業上の利用可能性】
【０２１５】
本発明に係る端末装置、管理システム、および情報通知方法は、端末装置を所持するユーザの状態を適切に管理するとともに、消費電力を低減して通信可能な状態を長時間確保することができる効果を有し、ユーザが所持してユーザの状態情報を管理装置に送信する端末装置、ユーザが所持する端末装置からユーザの状態情報を管理装置に通知して管理する管理システム、およびユーザが所持する端末装置からユーザの状態情報を管理装置に通知する情報通知方法などとして有用である。
【符号の説明】
【０２１６】
１  親端末（端末装置、リーダー端末）
２  子端末（端末装置、メンバー端末）
３  サーバ（管理装置）
１１  近距離通信部（第２の通信部）
１２  遠距離通信部（通信部）
１３  測位部
１４  生体センサ（生体状態検出部）
１５  端末状態センサ（装置状態検出部）
１６  制御部
２０  電池
４１  近距離通信部
４２  遠距離通信部
４３  測位部
４４  生体センサ（生体状態検出部）
４５  端末状態センサ（装置状態検出部）
４６  制御部
５０  電池
７１  通信部
７２  制御部
【図１】
2018206112.tif 000003
【図２】
2018206112.tif 000004
【図３】
2018206112.tif 000005
【図４】
2018206112.tif 000006
【図５】
2018206112.tif 000007
【図６】
2018206112.tif 000008
【図７】
2018206112.tif 000009
【図８】
2018206112.tif 000010
【図９】
2018206112.tif 000011
【図１０】
2018206112.tif 000012
【図１１】
2018206112.tif 000013
【図１２】
2018206112.tif 000014
【図１３】
2018206112.tif 000015
【図１４】
2018206112.tif 000016
【図１５】
2018206112.tif 000017
【図１６】
2018206112.tif 000018
【図１７】
2018206112.tif 000019
【図１８】
2018206112.tif 000020
【図１９】
2018206112.tif 000021
【図２０】
2018206112.tif 000022
【図２１】
2018206112.tif 000023
【図２２】
2018206112.tif 000024